(57)【要約】【課題】無制限に回転可能な操作環において指標線と距離目盛の位相を一致させることができるレンズ鏡筒を提供する。【解決手段】距離目盛５５ａが記された固定筒５５と、指標線５６ａを表示する表示部５６が設けられると共に固定筒５５に対して無制限に回転可能に保持された操作環５４と、操作環５４の回転位相を検出する操作環位置検出部５７と、第５レンズ群Ｌ５を保持する第５のレンズ保持枠５と、第５のレンズ保持枠５の光軸方向位置を検出する第５レンズ群位置センサ５３と、表示部５６での指標線５６ａの表示を制御するマイコン４２とを備えるレンズ鏡筒において、マイコン４２は、操作環位置検出部５７により検出された操作環５４の回転位相と第５レンズ群位置センサ５３により検出された第５のレンズ保持枠５の光軸方向での位置に基づいて距離目盛５５ａと指標線５６ａとの位置関係を決定する。【選択図】図１
2015025964.tif 000002
【特許請求の範囲】
【請求項１】
固定筒と、
前記固定筒に対して周方向に無制限に回転可能に保持された操作環と、
前記操作環と前記固定筒の相対的な位置関係を表示する表示手段と、
前記操作環の回転位相を検出する回転位相検出手段と、
レンズを保持するレンズ保持枠と、
前記レンズ保持枠の光軸方向での位置を検出するレンズ位置検出手段と、
前記表示手段における表示を制御する表示制御手段とを備え、
前記表示手段は、前記操作環と前記固定筒の一方に距離目盛と指標線の一方が表示されると共に、前記操作環と前記固定筒の他方に距離目盛と指標線の他方が表示され、
前記表示制御手段は、前記回転位相検出手段により検出された前記操作環の回転位相と、前記レンズ位置検出手段により検出された前記レンズ保持枠の光軸方向での位置に基づいて、前記距離目盛と前記指標線との位置関係を決定することを特徴とするレンズ鏡筒。
【請求項２】
前記回転位相検出手段は、パターンエンコーダとインクリメンタル方式の位置検出手段とを組み合わせて、前記操作環の回転位相を検出することを特徴とする請求項１に記載のレンズ鏡筒。
【請求項３】
前記表示制御手段は、待機状態から撮影可能状態へ復帰した後に、前記操作環が前記パターンエンコーダのパターン切り替わり位置を超えたときに、前記表示手段に前記距離目盛または前記指標線を表示することを特徴とする請求項２記載のレンズ鏡筒。
【請求項４】
前記レンズ位置検出手段は、合焦レンズ群の位置と変倍レンズ群の位置をそれぞれ検出し、
前記表示制御手段は、前記レンズ位置検出手段が検出した前記合焦レンズ群の位置と前記変倍レンズ群の位置と、前記回転位相検出手段が検出した前記操作環の位置とに基づいて、前記距離目盛と前記指標線の位置関係を決定することを特徴とする請求項１乃至３のいずれか１項に記載のレンズ鏡筒。
【請求項５】
請求項１乃至４のいずれか１項に記載のレンズ鏡筒を備えることを特徴とする光学装置。
【発明の詳細な説明】
【技術分野】
【０００１】
本発明は、距離目盛表示がなされたレンズ鏡筒及び光学装置に関する。
【背景技術】
【０００２】
一眼レフカメラ本体に着脱可能な交換レンズ鏡筒として、マニュアル操作によりフォーカスを調整するためのフォーカスリングを備え、その外周面に回転位相に応じた指標線が表示され、フォーカスリングを保持する固定部に指標線が記されたものが知られている。このような交換レンズ鏡筒では、撮影者は指標線と距離目盛とを一致させることで、所望の被写体距離に撮像光学系のフォーカスを調整することができる。ここで、指標線と距離目盛の実用性と信頼性を向上させる技術が提案されている。例えば、フォーカスリング（操作環）の外周面に薄型の表示装置を取り付け、この表示装置に撮影距離を表示させる構成として、表示の際に目盛の変更等を簡易に行えるようにする技術が提案されている（特許文献１参照）。
【先行技術文献】
【特許文献】
【０００３】
【特許文献１】特開２００７−２９８６７２号公報
【発明の概要】
【発明が解決しようとする課題】
【０００４】
しかしながら、上記特許文献１に記載された技術は、フォーカスリングが無制限に回転する電子リングについては、有用とは言えない。即ち、交換レンズ鏡筒に通電されていない通電オフ状態でフォーカスリングを回転させても、撮像光学系は移動しないため、通電オフ状態でフォーカスリングを回転させた後で通電させると、指標線と距離目盛との関係が撮像光学系の位置と無関係になってしまう。
【０００５】
本発明は、無制限に回転可能な操作環において、距離目盛に対して指標線を適切な位置に表示させることができるレンズ鏡筒を提供することを目的とする。
【課題を解決するための手段】
【０００６】
本発明に係るレンズ鏡筒は、固定筒と、前記固定筒に対して周方向に無制限に回転可能に保持された操作環と、前記操作環と前記固定筒の相対的な位置関係を表示する表示手段と、前記操作環の回転位相を検出する回転位相検出手段と、レンズを保持するレンズ保持枠と、前記レンズ保持枠の光軸方向での位置を検出するレンズ位置検出手段と、前記表示手段における表示を制御する表示制御手段とを備え、前記表示手段は、前記操作環と前記固定筒の一方に距離目盛と指標線の一方が表示されると共に、前記操作環と前記固定筒の他方に距離目盛と指標線の他方が表示され、前記表示制御手段は、前記回転位相検出手段により検出された前記操作環の回転位相と、前記レンズ位置検出手段により検出された前記レンズ保持枠の光軸方向での位置に基づいて、前記距離目盛と前記指標線との位置関係を決定することを特徴とする。
【発明の効果】
【０００７】
本発明によれば、操作環と固定筒に距離目盛と指標線を表示する際に、距離目盛と指標線との位置関係を、操作環の操作環位置検出結果とレンズ保持枠の光軸方向での位置に基づいて決定する。これにより、無制限に回転可能な操作環においても、距離目盛に対して指標線を適切な位置に表示させることができ、撮影者にとっての操作性、利便性を向上させることができる。
【図面の簡単な説明】
【０００８】
【図１】本発明の第１実施形態に係る光学装置の一例である撮像装置の概略構成を示す図である。
【図２】図１の撮像装置が備える電子表示装置と固定筒の展開図である。
【図３】図１の撮像装置が備える操作環位置検出部が有するパターンエンコーダの概略構成を示す展開図である。
【図４】本発明の第２実施形態に係る光学装置の一例である撮像装置の概略構成を示す図である。
【発明を実施するための形態】
【０００９】
以下、本発明の実施形態について、添付図面を参照して詳細に説明する。
【００１０】
＜第１実施形態＞
図１は、本発明の第１実施形態に係る光学装置の一例である撮像装置の概略構成を示す図である。なお、撮像装置は、具体的には、撮像装置本体と、撮像装置本体に対して着脱自在に構成されたレンズ鏡筒とから構成されるデジタル一眼レフカメラ、デジタルビデオカメラ等である。
【００１１】
図１の撮像装置（レンズ鏡筒）の撮像光学系は、被写体側から撮像面側へ順に、第１レンズ群Ｌ１、第２レンズ群Ｌ２、第３レンズ群Ｌ３、第４レンズ群Ｌ４及び第５レンズ群Ｌ５を有する。第１レンズ群Ｌ１と第３レンズ群Ｌ３は、変倍時であっても光軸方向での位置が固定された固定レンズである。第２レンズ群Ｌ２と第４レンズ群Ｌ４は、光軸方向に移動することにより変倍動作を行う変倍レンズ群である。第５レンズ群Ｌ５は、光軸方向に移動することにより合焦動作を行う合焦レンズ群である。
【００１２】
第１レンズ群Ｌ１は前玉鏡筒１に、第３レンズ群Ｌ３は固定鏡筒３にそれぞれ保持されている。第２レンズ群Ｌ２は第１のレンズ保持枠２に、第４レンズ群Ｌ４は第２のレンズ保持枠４に、第５レンズ群Ｌ５は第３のレンズ保持枠５にそれぞれ保持されている。第１のレンズ保持枠２、第２のレンズ保持枠４及び第３のレンズ保持枠５は、光軸方向で移動可能である。
【００１３】
図１の撮像装置（撮像装置本体）は、撮像部４０、カメラ信号処理回路４１、マイコン４２、記憶部４３、ズームスイッチ５０、フォーカススイッチ５１及び電源スイッチ５２を有する。撮像部４０は、具体的には、ＣＣＤセンサやＣＭＯＳセンサ等の光電変換素子である。カメラ信号処理回路４１は、撮像部４０からの出力信号であるアナログ電気信号に対して所定の増幅処理やガンマ補正処理等を施す。マイコン４２は、撮像装置の構成要素の動作制御を行うことにより撮像装置の全体的な動作制御を行い、また、撮像された画像に対する所定の画像処理を行う。記憶部４３は、マイコン４２で信号処理された画像データや撮像条件等を記憶する。
【００１４】
ズームスイッチ５０は、レンズ鏡筒に変倍動作を指示する操作部材である。フォーカススイッチ５１は、レンズ鏡筒にフォーカス動作（合焦動作）を指示する操作部材である。電源スイッチ５２は、撮像装置の電源オン／オフを切り替える。
【００１５】
図１の撮像装置（レンズ鏡筒）は、撮像光学系の開口径を変化させる絞り装置６と、絞り装置６を駆動する絞り駆動部６ａを有する。絞り装置６は、例えば、２枚の絞り羽根を互いに逆方向に移動させて開口径を変化させるギロチン式の絞り装置である。絞り装置６の駆動磁石の回転位置は、絞りセンサ４４により検出される。絞りセンサ４４には、例えば、ホール素子が用いられる。
【００１６】
撮像時には、撮像部４０から撮像信号がカメラ信号処理回路４１に出力され、カメラ信号処理回路４１で所定の増幅やガンマ補正等が施された信号がマイコン４２に出力される。マイコン４２は、カメラ信号処理回路４１からの入力信号と絞りセンサ４４からの絞り装置６の回転量等の入力信号に基づき、絞り駆動部６ａに絞り装置６の駆動信号を出力し、これにより光量調整が行われる。
【００１７】
第１のレンズ保持枠２は、２本のガイドバー（不図示）により光軸方向に移動可能に支持されている。同様に、第２のレンズ保持枠４は、２本のガイドバー（不図示）により光軸方向に移動可能に支持されている。ズームモータ１０により第１のレンズ保持枠２と第２のレンズ保持枠４とが駆動されることにより、第２レンズ群Ｌ２と第４レンズ群Ｌ４が光軸方向に移動し、これにより変倍動作が行われる。
【００１８】
より詳しくは、送りネジであるリードスクリュー１０ａに対して、ラック部材７が光軸方向に移動自在に螺合されており、ラック部材７は更に回転規制部材（不図示）により回転が規制されている。リードスクリュー１０ａは、ズームモータ１０を構成する回転するロータと同軸に、且つ、光軸と平行に配置されており、ズームモータ１０を回転させると、リードスクリュー１０ａが回転することにより、ラック部材７は光軸方向に移動する。
【００１９】
ここで、第１のレンズ保持枠２は、第１の付勢部材であるコイルバネ８により、光軸方向の像面側への移動を規制する第１の規制部１２に向かって付勢力が加えられている。また、第２のレンズ保持枠４は、第２の付勢部材であるコイルバネ９により、光軸方向被写体側への移動を規制する第２の規制部１３に向かって付勢力が加えられている。
【００２０】
図１の撮像装置（レンズ鏡筒）は、ズーム初期位置を検出するズーム初期位置センサ１１を備え、ズーム初期位置センサ１１には、例えば、フォトインタラプタが用いられる。ズーム初期位置センサ１１は、ラック部材７に形成された遮光部（不図示）の光軸方向への移動による遮光／透光の切り替わりを電気的に検出し、ラック部材７の光軸方向での基準位置を検出する。
【００２１】
第３のレンズ保持枠５には、略角筒状の空芯コイル１４と、空芯コイル１４に通電を行うためのフレキシブルプリント基板（不図示）が固定されている。また、レンズ鏡筒には、ヨーク１５，１６及びマグネット１７が固定されている。ヨーク１５は、コ字形状で光軸に沿う方向に延びた構造とされ、その内側にマグネット１７が保持されている。ヨーク１５には、空芯コイル１４の空芯部分が挿通されており、空芯コイル１４、ヨーク１５及びマグネット１７は、所定の間隔で離間している。マグネット１７は、光軸と直交する方向に磁化されており、光軸に沿う方向に延びた構造とされている。ヨーク１６は、ヨーク１５のコ字状の形状部分の開放側先端に保持されている。
【００２２】
空芯コイル１４、ヨーク１５，１６及びマグネット１７により、ボイスコイルモータ（つまり、リニアアクチュエータ）が構成される。フレキシブルプリント基板（不図示）から第５レンズ群駆動回路４６により空芯コイル１４に通電を行うと、ヨーク１５，１６及びマグネット１７にて構成される磁気回路の作用によって、第３のレンズ保持枠５を光軸方向に駆動することができる。
【００２３】
また、第３のレンズ保持枠５には、光軸方向に所定ピッチで形成された凹凸部を有する光学スケール（不図示）が接着固定されており、この光学スケールに対向するように、光学センサ（不図示）がレンズ鏡筒に保持されて配置されている。この光学センサは、光学スケールへ向けて光を照射する発光部と、光学スケールからの反射光量を測定するセンサとを有する。これらの光学スケールと光学センサは、光学スケールの反射光量を検出するために必要な所定の間隔を持って配置され、第５レンズ群Ｌ５（第３のレンズ保持枠５）の光軸方向での位置を検出する第５レンズ群位置センサ５３を構成している。
【００２４】
第３のレンズ保持枠５の初期位置は、第３のレンズ保持枠５がレンズ鏡筒の像面側（撮像部側）に突き当たった状態で決定されている。よって、以降の第３のレンズ保持枠５の位置検出（第５レンズ群Ｌ５のレンズ位置検出）と駆動制御は、第３のレンズ保持枠５に保持された光学スケールが光学センサに対して移動することに伴って生じる光学センサの出力信号に基づき、マイコン４２が行う。即ち、マイコン４２は、第５レンズ群位置センサ５３からの入力信号と、フォーカススイッチ５１又はオートフォーカス実行指令等の信号に応じて、第５レンズ群駆動回路４６へ駆動信号を出力する。第５レンズ群駆動回路４６は、マイコン４２からの入力信号にしたがって空芯コイル１４に通電を行い、第５のレンズ保持枠５（第５レンズ群Ｌ５）を光軸方向に駆動する。
【００２５】
図１の撮像装置（レンズ鏡筒）は、操作環５４、固定筒５５、表示部５６及び操作環位置検出部５７を有する。操作環５４は、固定筒５５の定位置に保持されており、保持位置において周方向に無制限に回転可能となっている。撮像装置の電源がオンの状態（撮像可能な状態）で、撮影者のマニュアル操作により操作環５４を回転させることにより、合焦レンズ群である第５レンズ群Ｌ５を保持する第３のレンズ保持枠５を光軸方向で移動させることができる。なお、撮像装置の電源がオフの状態や撮像装置の電源はオンであるがスリープモードに入っている場合には、操作環５４は回転可能であるが、この場合には第３のレンズ保持枠５が移動することはない。
【００２６】
表示部５６は、操作環５４の外周に巻き付けられ、接着剤、両面テープ或いはビス等により操作環５４に固定されている電子ペーパ、有機ＥＬディスプレイ或いは液晶ディスプレイ等の薄型の電子表示装置である。操作環位置検出部５７は、固定筒５５に対する操作環５４の相対的な回転位相を検出する回転位相検出手段である。
【００２７】
次に、撮像装置の特徴部である、操作環５４に巻きつけられた表示部５６での表示方法について、図２を参照して説明する。図２は、表示部５６と固定筒５５の展開図である。図２（Ａ）は、表示部５６に通電がなされ、指標線５６ａが表示された状態が示されている。前述の通り、合焦レンズ群である第５レンズ群Ｌ５の光軸方向の位置は、第５レンズ群位置センサ５３によって検出される。また、操作環５４と固定筒５５の相対位置は操作環位置検出部５７によって検出される。そこで、表示部５６が通電状態にあるとき、操作環５４と第５レンズ群Ｌ５のそれぞれの位置検出結果に基づいて、マイコン４２が、表示部５６の指標線５６ａの表示位置の表示制御を行う。
【００２８】
固定筒５５には、印刷或いは彫刻等により距離目盛５５ａが記されている。ここでは、無限遠（∞），５ｍ，３ｍ，１ｍの被写体距離が記されているものとする。図２（Ａ）の状態は、第５レンズ群位置センサ５３によって、第５レンズ群Ｌ５（第５のレンズ保持枠５）は無限遠の被写体に合焦する位置にあると位置検出されている。その結果、指標線５６ａは距離目盛５５ａの∞と一致する位置に表示されるように表示制御がなされている。
【００２９】
図２（Ｂ）は、図２（Ａ）の状態から、指標線５６ａが距離目盛５５ａの１ｍ表示と一致する位置まで、操作環５４を図２（Ｂ）中のＣＷ方向に回転させた状態を示している。操作環５４の回転操作が、撮影者が操作環５４を回転操作して合焦させるマニュアルフォーカス操作である場合、操作環５４の回転方向と回転位相は操作環位置検出部５７により検出される。そこで、第５レンズ群駆動回路４６は、マイコン４２からの入力信号に応じて操作環５４の回転量に応じた駆動量をコイル１２に通電し、第５レンズ群Ｌ５（第３のレンズ保持枠５）を光軸方向に移動させる。
【００３０】
一方、オートフォーカス動作の場合は、合焦判定部（不図示）によってデフォーカス量と駆動方向が第５レンズ群駆動回路４６を介してコイル１２に通電され、第５レンズ群Ｌ５（第３のレンズ保持枠５）を光軸方向に駆動させる。第５レンズ群Ｌ５の光軸方向位置は、第５レンズ群位置センサ５３によって検出される。マイコン４２は、その検出結果を被写体距離情報に変換し、変換結果と操作環５４の回転位相とに基づいて、表示部５６において固定筒５５の距離目盛５５ａに対応する位置に指標線５６ａを表示させる。
【００３１】
図２（Ｃ）は、図２（Ｂ）の撮影可能状態から、撮像装置の電源がオフされ、又は、スリープモードとされたことで、表示部５６への通電が切断された状態（待機状態）を示している。待機状態では、マイコン４２は、表示部５６の指標線５６ａの表示を消しており、これにより消費電力を削減している。
【００３２】
図２（Ｄ）は、図２（Ｃ）の状態から撮像装置の電源をオンし、又は、スリープモードから復帰したことで、表示部５６への通電が再開されたときの状態を示している。復帰後には、第５レンズ群位置センサ５３によって第５レンズ群Ｌ５（第５のレンズ保持枠５）の光軸方向位置が検出される。また、操作環５４の回転位相は、操作環位置検出部５７にて検出される。よって、マイコン４２は、これらの検出結果に基づいて、指標線５６ａを距離目盛５５ａの１ｍと一致する位置に表示する。
【００３３】
なお、図２（Ｃ）の待機状態（通電オフ状態）で操作環５４が撮影者によって任意角度だけ操作された場合でも、通電再開時には操作環５４の回転位相が操作環位置検出部５７により検出される。したがって、待機状態における操作環５４の回転位相（回転角度）に関係なく、正しい位置に指標線５６ａを表示することができる。即ち、本実施形態によれば、操作環５４が無制限に回転可能な場合でも、指標線５６ａを距離目盛５５ａに対して正確な位置に表示することができるレンズ鏡筒を提供することができる。
【００３４】
次に、操作環位置検出部５７の構成例について、詳細に説明する。操作環位置検出部５７は、固定筒５５と操作環５４の相対位置を検出することができる限りにおいて制限はないが、ここでは、パターンエンコーダとインクリメンタル方式の位置検出を組み合わせた検出方法を用いることとする。
【００３５】
図３は、操作環位置検出部５７が備えるパターンエンコーダの概略構成を示す展開図である。操作環位置検出部５７のパターンエンコーダは、基板５８とブラシ５９とを有する、基板５８は、ＺＯＮＥ−０端子の電極５８ａと、ＺＯＮＥ−１端子の電極５８ｂと、ＣＯＭ端子の電極５８ｃとを実装したパターンエンコーダ付きの基板である。基板５８は、固定筒５５の外周に配置され、例えば、両面テープで固定筒５５に固定されている。ブラシ（接触子）５９は、操作環５４に例えばビスを用いて固定されており、操作環５４と一体的に移動する。なお、各電極を除く部分を保護するために、不図示のカバーが基板５８を覆っている。
【００３６】
図３の状態では、ブラシ５９がＺＯＮＥ＿Ｃの位置にあるので、ＺＯＮＥ−０端子（電極５８ａ）とＺＯＮＥ−１端子（電極５８ｂ）とＣＯＭ端子（電極５８ｃ）とは、ブラシ５９を介して接続されている。ブラシ５９の位置がＺＯＮＥ＿Ａにある場合には、ＺＯＮＥ−０端子（電極５８ａ）とＺＯＮＥ−１端子（電極５８ｂ）とＣＯＭ端子（電極５８ｃ）とは、未接続の状態となる。ブラシ５９の位置がＺＯＮＥ＿Ｂにある場合には、ＺＯＮＥ−１端子（電極５８ｂ）とＣＯＭ端子（電極５８ｃ）とは接続されるが、ＺＯＮＥ＿０（電極５８ａ）は未接続の状態となる。ブラシ５９の位置がＺＯＮＥ＿Ｄにある場合には、ＺＯＮＥ−０端子（電極５８ａ）とＣＯＭ端子（電極５８ｃ）とは接続されるが、ＺＯＮＥ＿１（電極５８ｂ）は未接続の状態となる。マイコン４２は、これらスイッチの状況から、操作環５４の回転位相を検出する。
【００３７】
なお、本実施形態では、基板５８を電極５８ａ〜５８ｃが延びる方向に沿って、ＺＯＮＥ＿Ａ〜ＺＯＮＥ＿Ｄに４分割したが、分割するＺＯＮＥ数を増やすことで分解能を細かくして、検出精度を高めることができる。但し、距離目盛５５ａに対して正確に指標線５６ａを表示させるためには、パターンエンコーダのみの位置検出では分解能不足である。そこで、図３のパターンエンコーダと不図示のインクリメンタル方式の位置検出手段とを組み合わせ、これにより、安価に操作環５４の位置検出を可能とする。なお、インクリメンタル方式の位置検出手段としては、第５のレンズ保持枠５の位置検出に用いた光学スケールと光学センサとからなる検出機構と同等のものを用いることができる。
【００３８】
上述のようなパターンエンコーダによる位置検出とインクリメンタル方式の位置検出とを組み合わせる場合、操作環５４の正確な位置は、ブラシ５９が基板５８のＺＯＮＥ＿Ａ〜ＺＯＮＥ＿Ｄの各ゾーンの切り替わり位置を検出しない限りは、得ることができない。そこで、本実施形態では、マイコン４２は、パターンエンコーダの電極５８ａ〜５８ｃの接続状態の変化を検出することにより、操作環５４が操作されたことを検出し、待機状態から復帰させる。その際、復帰直後に指標線５６ａを表示させると、固定筒５５に表示されている距離目盛５５ａとの位置関係が正確でない場合があるため、操作環５４がパターンエンコーダのパターン切り替わり位置を超えた状態から指標線５６ａを表示させることとする。これにより、正確な距離情報を撮影者に伝達することができるようになる。
【００３９】
＜第２実施形態＞
図４は、第２実施形態に係る撮像装置の概略構造を示す図である。第２実施形態に係る撮像装置は、第１実施形態に係る撮像装置と比較すると、第１実施形態に係る撮像装置が備えるズーム初期位置センサ１１を絶対位置エンコーダであるズーム位置検出部６０に置き換えた点で異なるが、その他の構成は同じである。
【００４０】
ズーム位置検出部６０は、変倍レンズ群である第２レンズ群Ｌ２の光軸方向位置を検出することで撮像光学系のズーム位置を検出する。マイコン４２は、ズーム位置検出部６０による第２レンズ群Ｌ２の位置検出結果と第５レンズ群位置センサ５３による位置検出結果を用い、既知のズームトラッキングカーブに従ってズーム位置に応じた距離目盛位置に指標線５６ａを表示させる。即ち、第５レンズ群Ｌ５（合焦レンズ群）の位置検出結果と、第２レンズ群Ｌ２（変倍レンズ群）の位置検出結果と、操作環５４の回転位相の検出結果とに基づいて、距離目盛５５ａに対して指標線５６ａを正確な位置に表示させる。なお、ズームトラッキングカーブは、マイコン４２が有するＲＯＭ等に記憶されている。以上の構成によれば、第２実施形態でも、第１実施形態と同様の効果が得られる。
【００４１】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４２】
例えば、第１実施形態では、指標線５６ａを表示する表示部５６を操作環５４に配置し、距離目盛５５ａを固定筒５５に記したが、その逆の構成（表示部５６を固定筒５５に配置し、距離目盛５５ａを操作環５４に記す）としてもよい。また、表示部５６に距離目盛５５ａを表示し、表示部５６が取り付けられていない方の部材に指標線５６ａを記すようにしてもよい。つまり、操作環５４と固定筒５５の一方に距離目盛と指標線の一方が表示し、操作環５４と固定筒５５の他方に距離目盛と指標線の他方を表示することができる。
【符号の説明】
【００４３】
５    第３の移動部材５
１１    ズーム初期位置センサ
５３    第５レンズ群位置センサ
５４    操作環
５５    固定筒
５６    表示部
５７    操作環位置検出部
５８    （パターンエンコーダ付き）基板
５９    ブラシ
６０    ズーム位置検出部
Ｌ２    第２レンズ群（変倍レンズ群）
Ｌ４    第４レンズ群（変倍レンズ群）
Ｌ５    第５レンズ群（合焦レンズ群）
【図１】
2015025964.tif 000003
【図２】
2015025964.tif 000004
【図３】
2015025964.tif 000005
【図４】
2015025964.tif 000006